(57)【特許請求の範囲】
【請求項１】
ＩＰ電話機、ｍＶｏＩＰ端末、モバイルキーパー、ＡＰＮＳ／Ｃ２ＤＭ及びＶｏＩＰ交換器がイーサネットスイッチを通じてそれぞれ連動して構成されたｍＶｏＩＰ端末の第一呼のロス防止方法において、
ＩＰ電話機の呼要請信号によって、ＶｏＩＰ交換器がモバイルキーパーに着信呼の要請信号（ＩＮＶＩＴＥ）を転送し、ｍＶｏＩＰ端末の位置登録有無を確認する第１ステップと、
モバイルキーパーが着信呼の要請信号によって、ｍＶｏＩＰ端末の位置が未登録時の状態であれば、ｍＶｏＩＰ端末にプッシュメッセージを送りｍＶｏＩＰ端末を起動させる第２ステップと、
前記ｍＶｏＩＰ端末が、着信呼の要請（ｉｎｖｉｔｅ）によるモバイルキーパーに認証要求（Ｅｎｒｏｌｌ  Ｒｅｑｕｅｓｔ）を要請し、認証結果（Ｅｎｒｏｌｌ  Ｒｅｓｐｏｎｓｅ）により、ＶｏＩＰ交換器に位置登録による要請信号を転送し、ＶｏＩＰ交換器の位置登録結果の信号を受信してモバイルキーパーにキープアライブ通報を行う第３ステップと、
前記モバイルキーパーは、ｍＶｏＩＰ端末の位置登録結果のキープアライブ信号を受信してＶｏＩＰ交換器に自動呼伝達の要請（３ｘｘ  Ｒｅｄｉｒｅｃｔｉｏｎ）信号を転送する第４ステップと、
ｍＶｏＩＰ端末にＩＰ加入者の呼が引き入れられたという信号を送り出し、ｍＶｏＩＰ端末のｈｏｏｋ−ｏｆｆ信号によって通話路を設定して正常通話が行われる第５ステップと、
を含むことを特徴とするｍＶｏＩＰ端末の第一呼のロス防止方法。
【請求項２】
前記第１ステップにおいて、
ＶｏＩＰ交換器がモバイルキーパーに着信呼の要請信号を転送し、ｍＶｏＩＰ端末の位置登録有無を確認時に、未登録状態であれば、モバイルキーパーに転送された着信呼の要請を無視し、
前記第２ステップにおいて、
モバイルキーパーがＶｏＩＰ交換器の着信呼の要請信号によってｍＶｏＩＰ端末の位置が登録された状態であれば、ＶｏＩＰ交換器に受信されたＩＰ電話機の着信呼の要請を無視するように構成されたことを特徴とする請求項１に記載のｍＶｏＩＰ端末の第一呼のロス防止方法。
【請求項３】
ＩＰ電話機、ｍＶｏＩＰ端末、モバイルキーパー、ＡＰＮＳ／Ｃ２ＤＭ及びＶｏＩＰ交換器がイーサネットスイッチを通じてそれぞれ連動して構成されたｍＶｏＩＰ端末の第一呼のロス防止方法において、
ＩＰ電話機の呼要請信号によってＶｏＩＰ交換器がｍＶｏＩＰ端末の位置登録有無を確認する第１ステップと、
前記ＶｏＩＰ交換器がｍＶｏＩＰ端末の位置が未登録状態であれば、モバイルキーパーに着信呼の要請信号を転送してモバイルキーパーからｍＶｏＩＰ端末にプッシュメッセージを送りｍＶｏＩＰ端末を起動させる第２ステップと、
前記ｍＶｏＩＰ端末が、着信呼の要請によるモバイルキーパーに認証要求を要請し、認証結果により、ＶｏＩＰ交換器に位置登録による要請信号を転送し、ＶｏＩＰ交換器の位置登録結果の信号を受信してモバイルキーパーにキープアライブ通報を行う第３ステップと、
前記モバイルキーパーは、ｍＶｏＩＰ端末の位置登録結果のキープアライブ信号を受信してＶｏＩＰ交換器に自動呼伝達の要請信号を転送する第４ステップと、
ｍＶｏＩＰ端末にＩＰ加入者の呼が引き入れられたという信号を送り出し、ｍＶｏＩＰ端末のｈｏｏｋ−ｏｆｆ信号によって通話路を設定して正常通話が行われる第５ステップと、
を含むことを特徴とするｍＶｏＩＰ端末の第一呼のロス防止方法。
【請求項４】
前記ＶｏＩＰ交換器に自動呼伝達信号の転送時に、最初の発信端末の電話番号、ユーザの名前情報、最終の着信端末の電話番号及びＶｏＩＰ網で位置した中継ノードのための付属情報がコピーされて転送されることを特徴とする請求項１または３のいずれか一項に記載のｍＶｏＩＰ端末の第一呼のロス防止方法。
【請求項５】
自動呼伝達を受けたＶｏＩＰ交換器は、ｍＶｏＩＰ端末に着信呼が引き入れられたという信号を送り、無線ＶｏＩＰ端末がプッシュ−ＩＮＦＯ手続きによって活性化及び位置登録された状態で、通常の着信呼の処理手続きによって正常通話が行われるように構成されたことを特徴とする請求項１または３のいずれか一項に記載のｍＶｏＩＰ端末の第一呼のロス防止方法。
【請求項６】
ｍＶｏＩＰ端末の位置が未登録状態であれば、モバイルキーパーにＩＰ電話機の呼要請信号を送り出し、ＡＰＮＳ／Ｃ２ＤＭを通じてｍＶｏＩＰ端末にプッシュメッセージを送り、ｍＶｏＩＰ端末を起動させるＶｏＩＰ交換器と、
着信呼の要請によってモバイルキーパーに認証要求を要請し、認証結果により、ＶｏＩＰ交換器に位置登録による要請信号をＬ２スイッチを通じて転送し、ＶｏＩＰ交換器の位置登録結果の信号を受信してモバイルキーパーにキープアライブ通報を行う前記ｍＶｏＩＰ端末と、
発信ＩＰ電話機で着信呼の要請信号によって前記ＶｏＩＰ交換器から転送される着信呼の要請によってｍＶｏＩＰ端末にプッシュメッセージを転送してｍＶｏＩＰ端末の認証要求をし、認証結果を転送し、ｍＶｏＩＰ端末の位置登録要請によってＶｏＩＰ交換器で位置登録結果のキープアライブオン通報を行う前記モバイルキーパーとを含み、
前記ＶｏＩＰ交換器は、前記モバイルキーパーのキープアライブを行うことと自動呼伝達の要請によって着信呼の要請信号をｍＶｏＩＰ端末に転送して、前記ｍＶｏＩＰ端末にＩＰ加入者の呼が引き入れられたという信号を送り、正常通話が行われるようにすることを特徴とするｍＶｏＩＰ端末の第一呼のロス防止システム。
【請求項７】
前記ＶｏＩＰ交換器は、
前記ＩＰ電話機（一般加入者含む）の前記ＶｏＩＰ交換器を通じてｍＶｏＩＰ端末の着信呼の要求時に、ｍＶｏＩＰ端末のｍＶｏＩＰアプリケーションが登録状態であれば、ｍＶｏＩＰ端末にＩＰ電話機から着信呼が引き入れられたという信号を送り出して、ＡＰＮＳ／Ｃ２ＤＭを通じてｍＶｏＩＰ端末と通話路を設定するように構成されたことを特徴とする請求項６に記載のｍＶｏＩＰ端末の第一呼のロス防止システム。
【請求項８】
前記ｍＶｏＩＰ端末は、
モバイルキーパーに認証要求をし、モバイルキーパーから認証結果を受信すると、認証結果に対する受諾信号によって、ＶｏＩＰ交換器に登録要求（ＲＥＧＩＳＴＥＲ）のメッセージを送り、ＶｏＩＰ交換器から登録に対するＯＫの通報２００（ＯＫ）を受ければ、モバイルキーパーにキープアライブのメッセージを転送するように構成されたことを特徴とする請求項６に記載のｍＶｏＩＰ端末の第一呼のロス防止システム。
【請求項９】
ＶｏＩＰ交換器が、ｍＶｏＩＰ端末の位置が未登録状態であれば、モバイルキーパーにＩＰ電話機の呼要請信号を送り出して、ＡＰＮＳ／Ｃ２ＤＭを通じてｍＶｏＩＰ端末にプッシュメッセージを送り、ｍＶｏＩＰ端末を起動させる第１ステップと、
前記ｍＶｏＩＰ端末が、着信呼の要請によってモバイルキーパーに認証要求を要請し、認証結果により、ＶｏＩＰ交換器に位置登録による要請信号をＬ２スイッチを通じて前記ＶｏＩＰ交換器に転送し、ＶｏＩＰ交換器の位置登録結果の信号を受信してモバイルキーパーにキープアライブ通報を行う第２ステップと、
前記モバイルキーパーは、発信ＩＰ電話機で着信呼の要請信号によって前記ＶｏＩＰ交換器から転送される着信呼の要請によって、ｍＶｏＩＰ端末にプッシュメッセージを転送して、ｍＶｏＩＰ端末の認証要求をし、認証結果を転送し、ｍＶｏＩＰ端末の位置登録の要請によってＶｏＩＰ交換器で位置登録結果のキープアライブオン通報を行う第３ステップと、
ｍＶｏＩＰ端末の位置登録結果のキープアライブ信号を受信してＶｏＩＰ交換器に自動呼伝達の要請信号を転送する第４ステップと、
ｍＶｏＩＰ端末にＩＰ加入者の呼が引き入れられたという信号を送り出し、ｍＶｏＩＰ端末のｈｏｏｋ−ｏｆｆ信号によって通話路を設定して正常通話が行われる第５ステップと、
を含むことを特徴とするｍＶｏＩＰ端末の第一呼のロス防止方法。
【発明の詳細な説明】
【技術分野】
【０００１】
本発明は、ｍＶｏＩＰ端末の第一呼のロス防止システム及び防止方法に関し、さらに詳しくは、ｍＶｏＩＰ端末の位置が未登録（ｕｎｒｅｇｉｓｔｅｒ）状態で着信要請呼の呼び出される第一呼のロスを防止し、正常に通話路が設定されて通話を提供することができるｍＶｏＩＰ端末の第一呼のロス防止システム及び防止方法に関する。
【背景技術】
【０００２】
Ｇ．７２３．１Ａ、Ｇ．７２９Ｂ及び３ＧＰＰ適応性マルチレート（ＡＭＲ）のような現在の向上された音声コーデックは、無駄な帯域幅をなくすために、音声パッケージが沈黙（ｓｉｌｅｎｃｅ）期間の間に転送されることを防止する沈黙抑制方式を利用することができる。統計的に、沈黙期間は、ＶｏＩＰ（Ｖｏｉｃｅ  ｏｖｅｒ  Ｉｎｔｅｒｎｅｔ  Ｐｒｏｔｏｃｏｌ）呼び出しの全体期間のうち約６０％を占める。従って、モバイルステーション（ＭＳ）であるｍＶｏＩＰ端末は、このような期間の間に休眠（ｓｌｅｅｐ）することができれば、さらに多くのエネルギーを節約することができる。しかし、ＶｏＩＰサービスのために使用される既存の電力節約クラス（ＰＳＣ）ＩＩは、ＶｏＩＰトラフィックの沈黙期間を考慮せず、また、ＭＳは、音声パッケージを受信せずとも、沈黙期間の間に周期的にウェークアップ（ｗａｋｅ  ｕｐ）しなければならない。
【０００３】
一般的な無線ＶｏＩＰ端末の第一着信呼のロス状態をみると、ｍＶｏＩＰで通話するためには、ＶｏＩＰ交換器１０、イーサネットスイッチ１１、ＩＰ電話機１２、ｍＶｏＩＰ端末１３、モバイルキーパー１４で構成されて動作する。
【０００４】
前記の構成により、図１に示すように、ＶｏＩＰ交換器１０（Ｓｏｆｔｓｗｉｔｃｈ、Ｈｏｓｔｅｄ  ＩＰ−ＢＸ、Ｈｙｂｒｉｄ  ＩＰ−ＰＢＸ、Ｐｒｏｘｙ）にＩＰ電話機１２からイーサネットスイッチ１１を通じて着信呼が要請されると（Ｓ１）、ＶｏＩＰ交換器１０に着信加入者の位置が登録されていなければ（Ｓ２）、第一着信呼が常に失われ、このような呼のロスを防止するために、図２に示すように、モバイルキーパー１４は、ＶｏＩＰ交換器１０に設定された周期で位置登録（Ｓ２、Ｓ３）をしなければサービスの提供を受けることができないという問題点がある。
【０００５】
また、無線ＶｏＩＰ端末の第一着信呼のロス状態の他の一実施例による手続きをみると、ｍＶｏＩＰで通話するためには、ＶｏＩＰ交換器１０、Ｌ２スイッチ１１、ＩＰ電話機１２、ｍＶｏＩＰ端末１３で構成されて動作する。
【０００６】
前記の構成により、図３に示すように、現在のｍＶｏＩＰ端末１３のアプリケーションは、正常動作中であるかバックグラウンド（Ｂａｃｋｇｒｏｕｎｄ）モードでもＬ２スイッチ１１で設定された周期で周期的に位置登録をするが、この時、位置登録結果（Ｓ１２、Ｓ１５）によってバッテリーの消耗が発生する。この時、ＶｏＩＰ交換器１０（Ｓｏｆｔｓｗｉｔｃｈ、Ｈｏｓｔｅｄ  ＩＰ−ＢＸ、Ｈｙｂｒｉｄ  ＩＰ−ＰＢＸ、Ｐｒｏｘｙ）でＩＰ電話機１２からＬ２スイッチ１１を通じて着信呼が要請されると、ｍＶｏＩＰ端末１３が位置登録されていなければ第一着信呼が常に失われて、サービスの提供を受けることができないという問題点がある。
【０００７】
これにより、当該技術分野においては、ウェークアップによってｍＶｏＩＰ端末の使用時の第一呼のロスを防止するための技術開発が要求されている。
【発明の概要】
【発明が解決しようとする課題】
【０００８】
本発明は、前記の問題点を解決するためのもので、ｍＶｏＩＰ端末の位置が未登録（ｕｎｒｅｇｉｓｔｅｒ）状態で着信要請呼の呼び出される第一呼のロスを防止し、正常に通話路が設定されて通話を提供することができるｍＶｏＩＰ端末の第一呼のロス防止システム及び防止方法を提供するためのものである。
【課題を解決するための手段】
【０００９】
前記の目的を達成するために、本発明の特徴によると、ＩＰ電話機、ｍＶｏＩＰ端末、モバイルキーパー、ＡＰＮＳ／Ｃ２ＤＭ及びＶｏＩＰ交換器がイーサネットスイッチを通じてそれぞれ連動して構成されたｍＶｏＩＰ端末の第一呼のロス防止方法において、ＩＰ電話機の呼要請信号によって、ＶｏＩＰ交換器がモバイルキーパーに着信呼の要請信号（ＩＮＶＩＴＥ）を転送し、ｍＶｏＩＰ端末の位置登録有無を確認する第１ステップと、モバイルキーパーが着信呼の要請信号によって、ｍＶｏＩＰ端末の位置が未登録時の状態であれば、ｍＶｏＩＰ端末にプッシュメッセージを送りｍＶｏＩＰ端末を起動させる第２ステップと、前記ｍＶｏＩＰ端末が、着信呼の要請（ｉｎｖｉｔｅ）によるモバイルキーパーに認証要求（Ｅｎｒｏｌｌ  Ｒｅｑｕｅｓｔ）を要請し、認証結果（Ｅｎｒｏｌｌ  Ｒｅｓｐｏｎｓｅ）により、ＶｏＩＰ交換器に位置登録による要請信号を転送し、ＶｏＩＰ交換器の位置登録結果の信号を受信してモバイルキーパーにキープアライブ通報を行う第３ステップと、前記モバイルキーパーは、ｍＶｏＩＰ端末の位置登録結果のキープアライブ信号を受信してＶｏＩＰ交換器に自動呼伝達の要請（３ｘｘ  Ｒｅｄｉｒｅｃｔｉｏｎ）信号を転送する第４ステップと、ｍＶｏＩＰ端末にＩＰ加入者の呼が引き入れられたという信号を送り出し、ｍＶｏＩＰ端末のフックオフ（ｈｏｏｋ−ｏｆｆ）信号によって通話路を設定して正常通話が行われる第５ステップとを含むｍＶｏＩＰ端末の第一呼のロス防止方法を提供する。
【発明の効果】
【００１０】
本発明の実施例によるｍＶｏＩＰ端末の第一呼のロス防止システム及び防止方法は、ｍＶｏＩＰ端末に第一呼を試す時に常に呼の連結を提供し、呼のロスを防止することができる効果を提供する。
【図面の簡単な説明】
【００１１】
【図１】本発明の実施例によるｍＶｏＩＰ端末に第一呼を試す時に呼のロスを説明するための図面である。
【図２】本発明の実施例によるｍＶｏＩＰ端末に第一呼を試す時に呼のロスを説明するための図面である。
【図３】本発明の他の一実施例によるｍＶｏＩＰ端末に第一呼を試す時に呼のロスを説明するための図面である。
【図４】本発明の実施例によるｍＶｏＩＰ端末の第一呼のロス防止システムの構成を示した図面である。
【図５】本発明の実施例によるｍＶｏＩＰ端末のブリッジ加入者の第一呼のロス防止方法における呼連結方法を示したフローチャートである。
【図６】本発明の実施例によるｍＶｏＩＰ端末のシングル加入者の第一呼のロス防止方法における呼連結方法を示したフローチャートである。
【図７】本発明の他の一実施例によるｍＶｏＩＰ端末の第一呼のロス防止システムの構成を示した図面である。
【図８】本発明の他の一実施例によるｍＶｏＩＰ端末の第一呼のロス防止方法における呼連結方法を示したフローチャートである。
【発明を実施するための形態】
【００１２】
以下、本発明の好ましい実施例の詳しい説明は、添付した図面を参照して説明する。下記で本発明を説明するにあたって、関連の公知機能または構成に対する具体的な説明が本発明の要旨を無駄に曖昧にすると判断される場合は、その詳細な説明を省略する。
【００１３】
図４は、本発明の実施例によるｍＶｏＩＰ端末の第一呼のロス防止システムを示す図面である。図４を参照すると、ｍＶｏＩＰ端末の第一呼のロス防止システムは、ＶｏＩＰ交換器１０、イーサネットスイッチ１１、ＩＰ電話機１２、ｍＶｏＩＰ端末１３、モバイルキーパー１４（Ｍｏｂｉｌｅ  Ｋｅｅｐｅｒ）、ＡＰＮＳ／Ｃ２ＤＭ１５及びＰＳＴＮ網１６を含む。
【００１４】
より詳しくは、ＩＰ電話機１２、ｍＶｏＩＰ端末１３、モバイルキーパー１４及びＶｏＩＰ交換器１０は、イーサネットスイッチ１１を通じてそれぞれ連動している。
【００１５】
ＶｏＩＰ交換器１０は、ソフトスイッチ（Ｓｏｆｔｓｗｉｔｃｈ）、ホステッドＩＰ−ＢＸ、ハイブリッドＩＰ−ＰＢＸ、Ｐｒｏｘｙを含む広範囲な概念である。イーサネットスイッチ１１は、レイヤ２から認識されたスイッチング方式でレイヤ３のラウター機能を提供する。
【００１６】
ＶｏＩＰ交換器１０は、ブリッジ着信加入者の呼び出しのために、ＩＰ電話機１２または一般加入者から着信呼の要求を受信すれば、モバイルキーパー１４に着信呼の要請によるＩＮＶＩＴＥを転送する。この時、ＶｏＩＰ交換器１０は、ｍＶｏＩＰ端末１３の位置登録有無を確認して、位置が登録されていれば正常呼の連結処理をし、未登録状態であればモバイルキーパー１４に着信呼の要請によるＩＮＶＩＴを転送により着信呼の要請を無視する。
【００１７】
一方、ＶｏＩＰ交換器１０は、シングル着信加入者の呼び出しのために、ＩＰ電話機１２または一般加入者から着信呼の要求を受信すれば、ｍＶｏＩＰ端末１３の位置登録有無を確認して、位置が登録されていれば正常呼の連結処理をし、未登録状態であればモバイルキーパー１４に着信呼の要請によるＩＮＶＩＴＥ信号を転送する。
【００１８】
前記ＶｏＩＰ交換器１０で着信呼の要請（ＩＮＶＩＴＥ）があると、モバイルキーパー１４は、ブリッジ加入者の呼び出しによる要請信号であればｍＶｏＩＰ端末１３の位置登録有無を確認し、未登録の状態であればｍＶｏＩＰ端末にｍＶｏＩＰアプリケーションの活性化のためにプッシュメッセージが転送されて、認証要求（Ｅｎｒｏｌｌ  Ｒｅｑｕｅｓｔ）をし、モバイルキーパー１４から認証結果（Ｅｎｒｏｌｌ  Ｒｅｓｐｏｎｓｅ）を受信すると、認証結果に対する受諾をしてＶｏＩＰ交換器１０に登録要求（ＲＥＧＩＳＴＥＲ）のメッセージを送り、ＶｏＩＰ交換器１０から登録に対するＯＫの通報２００（ＯＫ）を受ければ、モバイルキーパー１４にキープアライブオンメッセージを送り、モバイルキーパー１４は、ｍＶｏＩＰ端末１３のキープアライブオンメッセージによってＶｏＩＰ交換器１０に自動呼伝達の要請を転送し、ＶｏＩＰ交換器１０にはｍＶｏＩＰ端末１３に着信呼の要請を転送してＲｉｎｇ  ｔｏｎｅを送り出す。
【００１９】
一方、前記ＶｏＩＰ交換器１０で着信呼の要請があれば、モバイルキーパー１４は、シングル加入者の呼び出しによる要請信号であればｍＶｏＩＰ端末１３にｍＶｏＩＰアプリケーション活性化のためにプッシュメッセージが転送されて、認証要求をし、モバイルキーパー１４から認証結果を受信すると、認証結果に対する受諾をしてＶｏＩＰ交換器１０に登録要求（ＲＥＧＩＳＴＥＲ）のメッセージを送り、ＶｏＩＰ交換器１０から登録に対するＯＫの通報２００を受ければ、モバイルキーパー１４にキープアライブオンメッセージを送り、モバイルキーパー１４は、ｍＶｏＩＰ端末１３のキープアライブオンメッセージによってＶｏＩＰ交換器１０に自動呼伝達の要請を転送し、ＶｏＩＰ交換器１０にはｍＶｏＩＰ端末１３に着信呼の要請を転送してＲｉｎｇ  ｔｏｎｅを送り出す。
【００２０】
ＶｏＩＰ交換器１０は、ｍＶｏＩＰ端末１３にｍＶｏＩＰ加入者の呼が引き入れられたという信号を送り、正常通話が行われるようにする機能を行う。
【００２１】
また、前記で前記ＶｏＩＰ交換器１０で着信呼の要請があると、モバイルキーパー１４は、ブリッジ加入者の呼び出しによる要請信号であれば、ｍＶｏＩＰ端末１３の位置登録有無を確認して登録された状態、即ち、キープアライブオン状態であれば着信呼の要請を無視する。
【００２２】
ＩＰ電話機１２（ＩＰ  Ｐｈｏｎｅ）は、ソフトフォン（Ｓｏｆｔ  Ｐｈｏｎｅ）を含む概念である。
【００２３】
ｍＶｏＩＰ端末１３はＥｎＳｏＰともいう。ｍＶｏＩＰ端末１３は、ブリッジ加入者の呼び出しによって、モバイルキーパー１４でｍＶｏＩＰアプリケーションの活性化のために、プッシュメッセージの転送によってモバイルキーパー１４に認証要求を要請し、認証結果によってＶｏＩＰ交換器１０にｍＶｏＩＰ端末１３の位置登録による要請信号をイーサネットスイッチ１１を通じて転送し、ＶｏＩＰ交換器１０の位置登録の結果、ＯＫメッセージの信号を受信してモバイルキーパー１４にキープアライブ通報を行う機能をする。
【００２４】
一方、ｍＶｏＩＰ端末１３は、シングル加入者の呼び出しによって、ＶｏＩＰ交換器１０で着信呼の要請によって、モバイルキーパー１４でｍＶｏＩＰアプリケーションの活性化のためにプッシュメッセージを受信すると、モバイルキーパー１４に認証要求を要請し、認証結果によってＶｏＩＰ交換器１０にｍＶｏＩＰ端末１３の位置登録による要請信号をイーサネットスイッチ１１を通じて転送し、ＶｏＩＰ交換器１０の位置登録の結果、ＯＫメッセージの信号を受信してモバイルキーパー１４にキープアライブ通報を行う機能をする。
【００２５】
ｍＶｏＩＰ端末１３は、着信要求を受けたｍＶｏＩＰ端末１３で、ＶｏＩＰ交換器１０への応答に応じて、ＩＰ電話機１２と正常通話する。
【００２６】
モバイルキーパー１４は、ｍＶｏＩＰ端末１３に対してフォン認証を行うサーバーである。
【００２７】
モバイルキーパー１４は、ＶｏＩＰ交換器１０に自動呼伝達の要請を送り、ＶｏＩＰ交換器１０から着信呼の要請信号がｍＶｏＩＰ端末１３に転送されるように機能を行う。
【００２８】
ＡＰＮＳ／Ｃ２ＤＭ１５は、ＡＰＮＳとＣ２ＤＭとを含む概念で、ＡＰＮＳは、アイフォンプッシュサービス（Ａｐｐｌｅ  プッシュ  Ｎｏｔｉｆｉｃａｔｉｏｎ  Ｓｅｒｖｉｃｅ）であり、Ｃ２ＤＭは、アンドロイドプッシュサービス（Ｃｌｏｕｄ  ｔｏ  Ｄｅｖｉｃｅ  Ｍｅｓｓａｇｉｎｇ）を意味する。
【００２９】
図５は、本発明の実施例によるｍＶｏＩＰ端末のブリッジ加入者の第一呼のロス防止方法を示したフローチャートである。図４〜図５を参照すると、ＩＰ電話機１２（一般加入者含む）からイーサネットスイッチ１１を通じて着信呼の要求を受けたＶｏＩＰ交換器１０は、着信呼の要請による信号をモバイルキーパー１４に転送し、ｍＶｏＩＰ端末１３の位置登録有無を確認して、登録状態であれば正常呼処理をして第一呼のロスを防止することができ、未登録の状態であればモバイルキーパー１４に転送された着信呼の要請によって着信呼の要請を無視する。
【００３０】
一方、ＶｏＩＰ交換器１０の着信呼の要請によって、モバイルキーパー１４は、ｍＶｏＩＰ端末１３の位置登録有無を確認して、未登録のｍＶｏＩＰ端末にｍＶｏＩＰアプリケーションの活性化のためにプッシュメッセージが転送され、ｍＶｏＩＰ端末の認証要求に応じて認証結果を転送する。ｍＶｏＩＰ端末１３は、認証結果によって、ＶｏＩＰ交換器１０に位置登録要求（ＲＥＧＩＳＴＥＲ）のメッセージを送り、ＶｏＩＰ交換器１０から登録に対するＯＫの通報２００を受ければ、モバイルキーパー１４にキープアライブオンメッセージを送り、モバイルキーパー１４は、ｍＶｏＩＰ端末１３のキープアライブオンメッセージによってＶｏＩＰ交換器１０に自動呼伝達の要請を転送する。
【００３１】
前記ＶｏＩＰ交換器１０に自動呼伝達信号の転送時に、最初の発信端末の電話番号、ユーザの名前情報、最終の着信端末の電話番号及びＶｏＩＰ網で位置した中継ノードのための付属情報がコピーされて転送される。
【００３２】
ＶｏＩＰ交換器１０には、ｍＶｏＩＰ端末１３に着信呼の要請を転送してＲｉｎｇ  ｔｏｎｅを送り出し、Ａｎｓｗｅｒ信号によって着信加入者の応答信号をＩＰ電話機１２に転送して通話に設定して、発信及び着信加入者の通話が行われるように設定する。
【００３３】
自動呼伝達を受けたＶｏＩＰ交換器１０は、ｍＶｏＩＰ端末１３に着信呼が引き入れられたという信号を送り、無線ＶｏＩＰ端末がプッシュ−ＩＮＦＯ手続きによって活性化及び位置登録された状態で、通常の着信呼の処理手続きによって正常通話が行われる。
【００３４】
一方、前記で前記ＶｏＩＰ交換器１０で着信呼の要請があれば、モバイルキーパー１４は、加入者の呼び出しの要請信号によってｍＶｏＩＰ端末１３の位置が登録された状態、キープアライブオン状態であれば着信呼の要請を無視する。
【００３５】
前記の手続きによって、ｍＶｏＩＰ端末１３がＶｏＩＰ交換器１０に位置未登録の状態であるが、ｍＶｏＩＰ端末１３の位置登録及び自動呼伝達の要請によって、ＩＰ電話機１２の第一呼のロスなしに正常通話を提供することができる。
【００３６】
図６は、本発明の実施例によるｍＶｏＩＰ端末のシングル加入者の第一呼のロス防止方法を示したフローチャートであり、図４及び図６を参照すると、ＩＰ電話機１２（一般加入者含む）からイーサネットスイッチ１１を通じて着信呼の要求を受けたＶｏＩＰ交換器１０は、ｍＶｏＩＰ端末１３のアプリケーションの正常登録有無を確認する。
【００３７】
ｍＶｏＩＰ端末１３のアプリケーションが正常に登録されていれば、当該ｍＶｏＩＰ端末１３に通話路を設定して、正常通話が行われるようにする。
【００３８】
この時、ｍＶｏＩＰ端末１３のアプリケーションが未登録状態であれば、ＶｏＩＰ交換器１０は、モバイルキーパー１４でＩＰ電話機１２から着信呼が引き入れられたという信号を受信して、ｍＶｏＩＰ端末１３にプッシュメッセージを送り、ｍＶｏＩＰアプリケーションを起動させる。
【００３９】
一方、プッシュメッセージを受けたｍＶｏＩＰ端末１３は、モバイルキーパー１４に認証要求をし、モバイルキーパー１４から認証結果を待機して受信する。
【００４０】
ｍＶｏＩＰ端末１３がモバイルキーパー１４から認証ＯＫの通報を受けると、ｍＶｏＩＰ端末１３は、ＶｏＩＰ交換器１０に位置登録（ＲＥＧＩＳＴＥＲ）を要請し、結果としてＯＫメッセージ２００を受信すれば、モバイルキーパー１４にキープアライブオン通報を行い、モバイルキーパー１４は、ＶｏＩＰ交換器１０に自動呼伝達の要請を行う。
【００４１】
前記ＶｏＩＰ交換器１０に自動呼伝達信号の転送時に、最初の発信端末の電話番号、ユーザの名前情報、最終の着信端末の電話番号及びＶｏＩＰ網で位置した中継ノードのための付属情報がコピーされて転送される。
【００４２】
以後、ＶｏＩＰ交換器１０は、モバイルキーパー１４から自動呼伝達の要請によってｍＶｏＩＰ端末１３に着信呼の要請を転送すれば、ｍＶｏＩＰ端末１３にＲｉｎｇ−ｔｏｎｅが送り出す。
【００４３】
前記ｍＶｏＩＰ端末１３のｈｏｏｋ−ｏｆｆ信号によって、ＩＰ電話機１２と電話活性化状態になり、通話路が設定される。
【００４４】
自動呼伝達を受けたＶｏＩＰ交換器１０は、ｍＶｏＩＰ端末１３に着信呼が引き入れられたという信号を送り、無線ＶｏＩＰ端末がプッシュ−ＩＮＦＯ手続きによって活性化及び位置登録された状態で、通常の着信呼の処理手続きによって正常通話が行われる。
【００４５】
前記の手続きにより、ｍＶｏＩＰ端末１３がＶｏＩＰ交換器１０に位置未登録の状態であるが、ｍＶｏＩＰ端末１３の位置登録及び自動呼伝達の要請によって、ＩＰ電話機１２の第一呼のロスなしに正常通話を提供することができる。
【００４６】
図７は、本発明の他の一実施例によるｍＶｏＩＰ端末の第一呼のロス防止システムを示す図面である。図７を参照すると、ｍＶｏＩＰ端末のバッテリー節約システムは、ＶｏＩＰ交換器１０、Ｌ２スイッチ１１、ＩＰ電話機１２、ｍＶｏＩＰ端末１３、モバイルキーパー１４、ＡＰＮＳ／Ｃ２ＤＭ１５及びＰＳＴＮ網１６を含む。
【００４７】
より詳しくは、ＩＰ電話機１２、ｍＶｏＩＰ端末１３及びＶｏＩＰ交換器１０は、Ｌ２スイッチ１１とそれぞれ連動し、Ｌ２スイッチ１１はＩＰ網を通じてモバイルキーパー１４と連動するように構成されている。
【００４８】
ＶｏＩＰ交換器１０は、Ｓｏｆｔｓｗｉｔｃｈ、ホステッドＩＰ−ＢＸ、ハイブリッドＩＰ−ＰＢＸ、Ｐｒｏｘｙを含む広範囲な概念である。Ｌ２スイッチ１１（Ｌ２  Ｓｗｉｔｃｈ）は、２階層スイッチで、レイヤ２スイッチ、レイヤ２ｓｉｔｃｈｉｎｇともいう。
【００４９】
ＶｏＩＰ交換器１０は、ｍＶｏＩＰ端末１３のｍＶｏＩＰアプリケーションが未登録の状態であれば、モバイルキーパー１４にＩＰ電話機１２から呼が引き入れられたという信号を送り、ＡＰＮＳ／Ｃ２ＤＭ１５を通じてｍＶｏＩＰ端末１３にプッシュメッセージを送って、ｍＶｏＩＰ端末１３を起動させる。
【００５０】
ＶｏＩＰ交換器１０は、ｍＶｏＩＰ端末１３に、ｍＶｏＩＰ加入者の呼が引き入れられたという信号を送り、正常通話が行われるようにする機能を行う。
【００５１】
一方、ＶｏＩＰ交換器１０は、ＩＰ電話機１２のＶｏＩＰ交換器１０にｍＶｏＩＰ端末１３の情報を含むパッケージ転送により、ｍＶｏＩＰ端末１３の状態が未登録（Ｎｏｔ  Ｒｅｇｉ．）状態であれば、着信要請パッケージをモバイルキーパー１４に転送する機能を行う。
【００５２】
ＩＰ電話機１２（ＩＰ  Ｐｈｏｎｅ）は、ソフトフォン（Ｓｏｆｔ  Ｐｈｏｎｅ）を含む概念である。
【００５３】
ｍＶｏＩＰ端末１３は、ＥｎＳｏＰともいう。ｍＶｏＩＰ端末１３は、着信呼の要請によってモバイルキーパー１４に認証要求を要請し、認証結果によってＶｏＩＰ交換器１０にｍＶｏＩＰ端末１３の位置登録による要請信号をＬ２スイッチ１１を通じて転送し、ＶｏＩＰ交換器１０の位置登録の結果、ＯＫメッセージの信号を受信してモバイルキーパー１４にキープアライブ通報を行う機能を行う。
【００５４】
即ち、前記ｍＶｏＩＰ端末１３は、モバイルキーパー１４に認証要求をし、モバイルキーパー１４から認証結果を受信すれば、認証結果に対する受諾をしてＶｏＩＰ交換器１０に登録要求（ＲＥＧＩＳＴＥＲ）のメッセージを送り、ＶｏＩＰ交換器１０から登録に対するＯＫの通報２００を受ければ、モバイルキーパー１４にキープアライブのメッセージを送る。
【００５５】
ｍＶｏＩＰ端末１３は、着信要求を受けたｍＶｏＩＰ端末１３で、ＶｏＩＰ交換器１０への応答に応じて、ＩＰ電話機１２と正常通話する。この時、ｍＶｏＩＰ端末１３は、前記モバイルキーパー１４にキープアライブ信号を転送すると、モバイルキーパー１４は、ＶｏＩＰ交換器１０に自動呼伝達の要請信号を転送し、ＩＰ電話機１２の着信呼の要請信号を受信して正常通話が設定される。
【００５６】
モバイルキーパー１４は、ｍＶｏＩＰ端末１３に対してフォン認証を行うサーバーである。
【００５７】
モバイルキーパー１４は、ＶｏＩＰ交換器１０に自動呼伝達の要請を転送し、ＶｏＩＰ交換器１０から着信呼の要請信号がｍＶｏＩＰ端末１３に転送されるように機能を行う。
【００５８】
ＡＰＮＳ／Ｃ２ＤＭ１５は、ＡＰＮＳとＣ２ＤＭとを含む概念で、ＡＰＮＳは、アイフォンプッシュサービス（Ａｐｐｌｅ  プッシュ  Ｎｏｔｉｆｉｃａｔｉｏｎ  Ｓｅｒｖｉｃｅ）であり、Ｃ２ＤＭは、アンドロイドプッシュサービス（Ｃｌｏｕｄ  ｔｏ  Ｄｅｖｉｃｅ  Ｍｅｓｓａｇｉｎｇ）を意味する。
【００５９】
図８は、本発明の実施例によるｍＶｏＩＰ端末の第一呼のロス防止方法を示したフローチャートである。図７〜図８を参照すると、ＩＰ電話機１２（一般加入者含む）からＬ２スイッチ１１を通じて着信呼の要求（Ｓ２１、Ｓ２２）を受けたＶｏＩＰ交換器１０は、ｍＶｏＩＰ端末１３のアプリケーションの正常登録有無を確認する。（Ｓ２３）
ｍＶｏＩＰ端末１３のアプリケーションが正常に登録されていれば、当該ｍＶｏＩＰ端末１３に通話路を設定して、正常通話に行われるようにする。
【００６０】
この時、ｍＶｏＩＰ端末１３のアプリケーションが未登録状態であれば、ＶｏＩＰ交換器１０はモバイルキーパー１４にＩＰ電話機１２から着信呼が引き入れられたという信号を送ることで（Ｓ２４）、Ａｐｎｓ／Ｃ２ＤＭ１５を通じてｍＶｏＩＰ端末１３にプッシュメッセージを送って、ｍＶｏＩＰアプリケーションを起動させる。（Ｓ３０、Ｓ３１）
一方、プッシュメッセージを受けたｍＶｏＩＰ端末１３は、モバイルキーパー１４に認証要求をし（Ｓ３２）、モバイルキーパー１４から認証結果を待機して受信する。（Ｓ３３）
ｍＶｏＩＰ端末１３がモバイルキーパー１４から認証ＯＫの通報を受けると、ｍＶｏＩＰ端末１３は、Ｌ２スイッチ１１を通じてＶｏＩＰ交換器１０に位置登録（ＲＥＧＩＳＴＥＲ）を要請し（Ｓ３４、Ｓ３５）、結果としてＯＫメッセージ２００をＬ２スイッチ１１を通じて受ければ、モバイルキーパー１４にキープアライブ通報を行い（Ｓ４０）、モバイルキーパー１４は、ＶｏＩＰ交換器１０に自動呼伝達の要請を行う。（Ｓ４１）
以後、ＶｏＩＰ交換器１０は、モバイルキーパー１４から自動呼伝達の要請によってｍＶｏＩＰ端末１３に着信呼の要請を転送すれば、ｍＶｏＩＰ端末１３にＲｉｎｇ−ｔｏｎｅを送り出す。（Ｓ４３）
前記ｍＶｏＩＰ端末１３のｈｏｏｋ−ｏｆｆ信号によって、ＩＰ電話機１２と電話活性化状態になり、通話路が設定される。
【００６１】
前記の手続きにより、ｍＶｏＩＰ端末１３がＶｏＩＰ交換器１０に位置未登録の状態であるが、ｍＶｏＩＰ端末１３の位置登録及び自動呼伝達の要請によって、ＩＰ電話機１２の第一呼のロスなしに正常通話を提供することができる。
【符号の説明】
【００６２】
１０：ＶｏＩＰ交換器
１１：Ｌ２スイッチ、イーサネットスイッチ
１２：ＩＰ電話機
１３：ｍＶｏＩＰ端末
１４：モバイルキーパー
１５：ＡＰＮＳ／Ｃ２ＤＭ
１６：ＰＳＴＮ網
１７：アナログフォン
１８：ＦＡＸフォン
【図１】
0005516774.tif 000002
【図２】
0005516774.tif 000003
【図３】
0005516774.tif 000004
【図４】
0005516774.tif 000005
【図５】
0005516774.tif 000006
【図６】
0005516774.tif 000007
【図７】
0005516774.tif 000008
【図８】
0005516774.tif 000009